(57)【特許請求の範囲】
【請求項１】
入力色値と印刷用の色材の色値で表現された出力色値との対応関係を規定したカラープロファイルに従い、前記入力色値で表された画像データを前記出力色値で表された画像データに変換する色変換処理を行う色変換手段と、
入力値と補正値との対応関係を規定した補正テーブルに従い、前記色変換処理が行われた後の画像データを補正する補正手段と、
前記色材を用いて形成した濃度パッチの測定濃度に基づき前記補正テーブルを更新する更新処理を行う更新手段と、
前記更新処理が行われた後の補正テーブルである更新補正テーブルが、前記更新処理が行われていないデフォルトの補正テーブルであるデフォルト補正テーブルよりも前記色材の使用量を増加させるものであるかを、前記色材の色ごとに判定する使用量判定手段と、
１色以上の色材について、前記更新補正テーブルが前記デフォルト補正テーブルよりも前記色材の使用量を増加させるものであると前記使用量判定手段により判定されたことを条件として、前記色材の使用量が増加する色について前記出力色値を低下させるように前記カラープロファイルを修正する修正手段と、
を備えることを特徴とする画像処理装置。
【請求項２】
請求項１に記載の画像処理装置であって、
前記色変換処理の対象となる画像データの表すオブジェクトの種類を判定する種類判定手段を更に備え、
前記色変換手段は、前記種類判定手段により判定されたオブジェクトの種類が写真の場合と写真以外の場合とで異なるカラープロファイルを用いて前記色変換処理を行い、
前記修正手段は、写真のオブジェクトの色変換処理に用いるカラープロファイルの出力色値のうち、暗部側の一部の出力色値を低下させるように修正すること
を特徴とする画像処理装置。
【請求項３】
請求項２に記載の画像処理装置であって、
前記修正手段は、写真以外の特定のオブジェクトの色変換処理に用いるカラープロファイルのすべての出力色値を低下させるように修正すること
を特徴とする画像処理装置。
【請求項４】
請求項１から請求項３までのいずれか１項に記載の画像処理装置であって、
前記使用量判定手段は、前記更新補正テーブルの補正値と前記デフォルト補正テーブルの補正値とを前記色材の色ごとに比較することで、前記更新補正テーブルが前記デフォルト補正テーブルよりも前記色材の使用量を増加させるものであるかを判定すること
を特徴とする画像処理装置。
【請求項５】
請求項１から請求項３までのいずれか１項に記載の画像処理装置であって、
前記使用量判定手段は、前記デフォルト補正テーブルに従い画像データを補正した場合の全画素の色値の合計値と、前記更新補正テーブルに従い画像データを補正した場合の全画素の色値の合計値とを、前記色材の色ごとに比較することで、前記更新補正テーブルが前記デフォルト補正テーブルよりも前記色材の使用量を増加させるものであるかを判定すること
を特徴とする画像処理装置。
【請求項６】
請求項５に記載の画像処理装置であって、
前記デフォルト補正テーブルに従い画像データを補正した場合の全画素の色値の合計値から、前記更新補正テーブルに従い画像データを補正した場合の全画素の色値の合計値を減じた差分を、前記色材の色ごとに余剰色材量として積算する積算手段を更に備え、
前記修正手段は、１色以上の色材について、前記更新補正テーブルが前記デフォルト補正テーブルよりも前記色材の使用量を増加させるものであると前記使用量判定手段により判定され、かつ、その増加量が前記余剰色材量を上回ることを条件として、前記色材の使用量が増加する色について前記出力色値を低下させるように前記カラープロファイルを修正すること
を特徴とする画像処理装置。
【請求項７】
入力色値と印刷用の色材の色値で表現された出力色値との対応関係を規定したカラープロファイルに従い、前記入力色値で表された画像データを前記出力色値で表された画像データに変換する色変換処理を行う色変換手段、
入力値と補正値との対応関係を規定した補正テーブルに従い、前記色変換処理が行われた後の画像データを補正する補正手段、
前記色材を用いて形成した濃度パッチの測定濃度に基づき前記補正テーブルを更新する更新処理を行う更新手段、
前記更新処理が行われた後の補正テーブルである更新補正テーブルが、前記更新処理が行われていないデフォルトの補正テーブルであるデフォルト補正テーブルよりも前記色材の使用量を増加させるものであるかを、前記色材の色ごとに判定する使用量判定手段、及び、
１色以上の色材について、前記更新補正テーブルが前記デフォルト補正テーブルよりも前記色材の使用量を増加させるものであると前記使用量判定手段により判定されたことを条件として、前記色材の使用量が増加する色について前記出力色値を低下させるように前記カラープロファイルを修正する修正手段
としてコンピュータを機能させることを特徴とする画像処理プログラム。
【発明の詳細な説明】
【技術分野】
【０００１】
本発明は、補正テーブルに従い画像データを補正する補正手段を備える画像処理装置及び画像処理プログラムに関する。
【背景技術】
【０００２】
従来、トナーやインク等の色材を用いて用紙等の印刷媒体に画像を印刷する印刷装置として、印刷濃度やカラーバランス等を保つためにキャリブレーション処理を実行するものが知られている。キャリブレーション処理では、印刷用の色材を用いて複数段階の濃度の濃度パッチを形成してその濃度を測定し、画像データを補正するための補正テーブルを測定濃度に基づいて更新する。こうしたキャリブレーション処理を適当なタイミングで実行して補正テーブルを更新し、更新した補正テーブルに従い画像データを補正することで、印刷される画像の品質を経年変化によらず適正に保つことができる。
【０００３】
なお、特許文献１には、トナーの残量が少ない状態ではキャリブレーション処理の実行スケジュールの間隔を長くする又は実行しないことにより、トナーの消費を抑える印刷装置について記載されている。
【先行技術文献】
【特許文献】
【０００４】
【特許文献１】特開２００６−１３８９１６号公報
【発明の概要】
【発明が解決しようとする課題】
【０００５】
色材を用いて画像を印刷する印刷装置では、色材の未使用時の充填量に対応した印刷可能枚数があらかじめ見積もられていることが通常であり、こうして予定されている印刷可能枚数と実際に印刷可能な枚数とが大きく異ならないことが求められる。特に、実際に印刷可能な枚数が、予定されている印刷可能枚数を大きく下回ることは好ましくない。
【０００６】
印刷可能枚数は、印刷媒体１枚あたりに使用される色材量をある値と見積もることにより定まるが、この値はキャリブレーション処理が実行される前のデフォルトの補正テーブルを基準に定められる。このため、キャリブレーション処理の実行による補正テーブルの更新によって、印刷媒体１枚あたりに使用される色材量が増加する場合には、実際に印刷可能な枚数が印刷可能枚数に到達する前に色材切れになってしまうという問題が生じやすくなる。
【０００７】
なお、前述した特許文献１に記載の印刷装置は、トナーの残量が少ない状態でキャリブレーション処理の実行を制限するため、印刷濃度やカラーバランス等が悪化してしまうという問題がある。また、そもそも印刷可能枚数については考慮していないため、実際に印刷可能な枚数が印刷可能枚数を上回る場合であってもトナーの残量が少ない状態ではキャリブレーション処理の実行が制限されてしまう。
【０００８】
本発明は、こうした問題にかんがみてなされたものであり、実際に印刷可能な枚数が印刷可能枚数に到達する前に色材切れになる問題を生じにくくすることを目的としている。
【課題を解決するための手段】
【０００９】
本明細書は上記目的を達成する構成を開示する。第１の構成の画像処理装置は、入力色値と印刷用の色材の色値で表現された出力色値との対応関係を規定したカラープロファイルに従い、入力色値で表された画像データを出力色値で表された画像データに変換する色変換処理を行う色変換手段と、入力値と補正値との対応関係を規定した補正テーブルに従い、色変換処理が行われた後の画像データを補正する補正手段と、色材を用いて形成した濃度パッチの測定濃度に基づき補正テーブルを更新する更新処理を行う更新手段と、更新処理が行われた後の補正テーブルである更新補正テーブルが、更新処理が行われていないデフォルトの補正テーブルであるデフォルト補正テーブルよりも色材の使用量を増加させるものであるかを、色材の色ごとに判定する使用量判定手段と、１色以上の色材について、更新補正テーブルがデフォルト補正テーブルよりも色材の使用量を増加させるものであると使用量判定手段により判定されたことを条件として、色材の使用量が増加する色について出力色値を低下させるようにカラープロファイルを修正する修正手段とを備える。
【００１０】
このような画像処理装置によれば、更新補正テーブルがデフォルト補正テーブルよりも色材の使用量を増加させるものである場合には、出力色値を低下させるようにカラープロファイルを修正するため、色変換処理で色材の使用量を減少させることができる。その結果、色材の使用量の増加分を相殺することができるため、実際に印刷可能な枚数がデフォルト補正テーブルに基づいて見積もられた印刷可能枚数に到達する前に色材切れになる問題を生じにくくすることができる。
【００１１】
また例えば、前述した第１の構成を前提とする第２の構成の画像処理装置は、色変換処理の対象となる画像データの表すオブジェクトの種類を判定する種類判定手段を更に備え、色変換手段は、種類判定手段により判定されたオブジェクトの種類が写真の場合と写真以外の場合とで異なるカラープロファイルを用いて色変換処理を行い、修正手段は、写真のオブジェクトの色変換処理に用いるカラープロファイルの出力色値のうち、暗部側の一部の出力色値を低下させるように修正する。
【００１２】
写真のオブジェクトの暗部は黒に近い色であるため、カラーバランスが多少崩れても色味に大きな変化はない。したがって、写真のオブジェクトの印刷画像の品質が損なわれにくくしつつ、色材の使用量を減少させることができる。
【００１３】
また例えば、前述した第２の構成を前提とする第３の構成の画像処理装置では、修正手段は、写真以外の特定のオブジェクトの色変換処理に用いるカラープロファイルのすべての出力色値を低下させるように修正する。
【００１４】
図形や文字など写真以外のオブジェクトは、写真のオブジェクトに比べてカラーバランスや階調性は重要視されないため、全体的に色材の使用量を減少させることで印刷画像の品質が損なわれにくくすることができる。
【００１５】
また例えば、前述した第１〜第３の構成のいずれかを前提とする第４の構成の画像処理装置では、使用量判定手段は、更新補正テーブルの補正値とデフォルト補正テーブルの補正値とを色材の色ごとに比較することで、更新補正テーブルがデフォルト補正テーブルよりも色材の使用量を増加させるものであるかを判定する。
【００１６】
このような画像処理装置によれば、更新補正テーブルがデフォルト補正テーブルよりも色材の使用量を増加させるものであるかを具体的な画像データに関係なく判定するため、判定に要する処理負荷を低減することができる。
【００１７】
また例えば、前述した第１〜第３の構成のいずれかを前提とする第５の構成の画像処理装置では、使用量判定手段は、デフォルト補正テーブルに従い画像データを補正した場合の全画素の色値の合計値と、更新補正テーブルに従い画像データを補正した場合の全画素の色値の合計値とを、色材の色ごとに比較することで、更新補正テーブルがデフォルト補正テーブルよりも色材の使用量を増加させるものであるかを判定する。
【００１８】
このような画像処理装置によれば、更新補正テーブルがデフォルト補正テーブルよりも色材の使用量を増加させるものであるかを、具体的な画像データを用いて判定するため、比較的正確に判定することができる。
【００１９】
また例えば、前述した第５の構成を前提とする第６の構成の画像処理装置は、デフォルト補正テーブルに従い画像データを補正した場合の全画素の色値の合計値から、更新補正テーブルに従い画像データを補正した場合の全画素の色値の合計値を減じた差分を、色材の色ごとに余剰色材量として積算する積算手段を更に備え、修正手段は、１色以上の色材について、更新補正テーブルがデフォルト補正テーブルよりも色材の使用量を増加させるものであると使用量判定手段により判定され、かつ、その増加量が余剰色材量を上回ることを条件として、色材の使用量が増加する色について出力色値を低下させるようにカラープロファイルを修正する。
【００２０】
このような画像処理装置によれば、更新補正テーブルがデフォルト補正テーブルよりも色材の使用量を増加させるものであると判定した場合であっても、その増加量が余剰色材量を上回らなければカラープロファイルを修正しないため、過去の印刷で色材が余っているにもかかわらず色材の使用量が制限されてしまうことを防ぐことができる。
【００２１】
次に、第７の構成の画像処理プログラムは、入力色値と印刷用の色材の色値で表現された出力色値との対応関係を規定したカラープロファイルに従い、入力色値で表された画像データを出力色値で表された画像データに変換する色変換処理を行う色変換手段、入力値と補正値との対応関係を規定した補正テーブルに従い、色変換処理が行われた後の画像データを補正する補正手段、色材を用いて形成した濃度パッチの測定濃度に基づき補正テーブルを更新する更新処理を行う更新手段、更新処理が行われた後の補正テーブルである更新補正テーブルが、更新処理が行われていないデフォルトの補正テーブルであるデフォルト補正テーブルよりも色材の使用量を増加させるものであるかを、色材の色ごとに判定する使用量判定手段、及び、１色以上の色材について、更新補正テーブルがデフォルト補正テーブルよりも色材の使用量を増加させるものであると使用量判定手段により判定されたことを条件として、色材の使用量が増加する色について出力色値を低下させるようにカラープロファイルを修正する修正手段としてコンピュータを機能させる。
【００２２】
このような画像処理プログラムによれば、第１の構成の画像処理装置としてコンピュータを機能させることができ、これにより前述した効果を得ることができる。
【図面の簡単な説明】
【００２３】
【図１】印刷システムの概略構成を示すブロック図である。
【図２】（ａ）は第１実施形態の二値画像データ生成処理の説明図、（ｂ）は第１実施形態のキャリブレーション処理及びカラープロファイル変更処理の説明図、（ｃ）は第２実施形態の二値画像データ生成処理の説明図である。
【図３】（ａ）はカラープロファイルの入力色値を示す説明図、（ｂ）は（ａ）の入力色値に対応する修正前の出力色値を示す説明図、（ｃ）は（ｂ）の出力色値をデフォルト補正テーブルに従って補正した値を示す説明図、（ｄ）は（ｂ）の出力色値を更新補正テーブルに従って補正した値を示す説明図、（ｅ）は（ｄ）の値から（ｃ）の値を減じた差分を示す説明図、（ｆ）は（ａ）の入力色値に対応する修正後の出力色値を示す説明図、（ｇ）は（ｆ）の出力色値を更新補正テーブルに従って補正した値を示す説明図、（ｈ）は（ｇ）の値から（ｃ）の値を減じた差分を示す説明図である。
【図４】カラープロファイルの入力色値と出力色値との関係を示すグラフである。
【図５】（ａ）はキャリブレーション処理のフローチャート、（ｂ）はカラープロファイル変更処理のフローチャートである。
【図６】使用プロファイル設定処理のフローチャートである。
【図７】（ａ）は印刷対象の画像の説明図、（ｂ）は使用プロファイル設定領域の概念図である。
【図８】第１実施形態の二値画像データ生成処理のフローチャートである。
【図９】第２実施形態の二値画像データ生成処理のフローチャートである。
【図１０】トナー過剰使用量演算処理のフローチャートである。
【発明を実施するための形態】
【００２４】
以下、本発明が適用された実施形態について、図面を用いて説明する。
［１．第１実施形態］
［１−１．全体構成］
図１は、パーソナルコンピュータ１とプリンタ２とがデータ通信可能に構成された印刷システムの概略構成を示すブロック図である。
【００２５】
パーソナルコンピュータ１は、汎用の情報処理装置であり、制御部１１、通信部１２、操作部１３、表示部１４及び記憶部１５を備えている。
制御部１１は、パーソナルコンピュータ１の各部を統括制御するものであり、ＣＰＵ１１１、ＲＯＭ１１２及びＲＡＭ１１３を備えている。
【００２６】
通信部１２は、プリンタ２との間でデータ通信を行うためのインタフェースである。
操作部１３は、ユーザからの外部操作による指令を入力するための入力装置であり、本実施形態ではキーボードやポインティングデバイス（マウスやタッチパッド等）が用いられている。
【００２７】
表示部１４は、各種情報をユーザが視認可能な画像として表示するための出力装置であり、本実施形態では液晶ディスプレイが用いられている。
記憶部１５は、記憶データの書換えが可能な不揮発性の記憶装置であり、本実施形態ではハードディスク装置が用いられている。そして、記憶部１５には、オペレーティングシステム（ＯＳ）１５１、グラフィックツール等のアプリケーションプログラム１５２、パーソナルコンピュータ１からプリンタ２を利用可能とするためのソフトウェア（プログラム）であるプリンタドライバ１５３などがインストールされている。
【００２８】
一方、プリンタ２は、電子写真方式の印刷装置であり、制御部２１、通信部２２、操作部２３、表示部２４、記憶部２５、画像形成部２６及び濃度センサ２７を備えている。
制御部２１は、プリンタ２の各部を統括制御するものであり、ＣＰＵ２１１、ＲＯＭ２１２及びＲＡＭ２１３を備えている。
【００２９】
通信部２２は、パーソナルコンピュータ１との間でデータ通信を行うためのインタフェースである。
操作部２３は、ユーザからの外部操作による指令を入力するための入力装置であり、各種操作ボタンを備えている。
【００３０】
表示部２４は、各種情報をユーザが視認可能な画像として表示するための出力装置であり、小型の液晶ディスプレイが用いられている。
記憶部２５は、記憶データの書換えが可能な不揮発性の記憶装置であり、本実施形態ではフラッシュメモリが用いられている。
【００３１】
画像形成部２６は、シアン（Ｃ）、マゼンタ（Ｍ）、イエロー（Ｙ）及びブラック（Ｋ）の４色のトナーを用いて、二値画像データの表す画像を電子写真方式により可視画像として形成するための構成部であり、ＣＭＹＫ各色のトナーに対応する４つの感光体を備えている。そして、画像形成部２６において画像を形成する際には、各感光体の表面が帯電器により帯電され、カラー画像を表現するためのＣＭＹＫ各色の二値画像データに基づきＬＥＤヘッド等の露光装置により露光されて静電潜像が形成される。こうして形成された静電潜像は、現像器から供給されるＣＭＹＫ各色のトナーが付着してトナー像として可視像化される。そして、ＣＭＹＫ各色のトナー像は、搬送ベルトによって搬送される用紙等の印刷媒体に重ね合わせて転写された後、定着器において印刷媒体に熱定着され、これにより印刷媒体に画像が印刷される。なお、このような構成自体は周知であるため、図示は省略している。
【００３２】
また、画像形成部２６は、後述するキャリブレーション処理が実行されることにより、印刷用のトナーを用いてＣＭＹＫ各色の複数段階の濃度を表す濃度パッチを搬送ベルト上に直接形成する。なお、搬送ベルト上に形成された濃度パッチは、画像形成部２６が備えるクリーニング部材によって回収される。
【００３３】
濃度センサ２７は、画像形成部２６によって搬送ベルト上に形成された濃度パッチの濃度を測定するために用いられる。
［１−２．処理の概要］
次に、印刷システムで実行される処理の概要について説明する。
【００３４】
パーソナルコンピュータ１においてグラフィックツール等のアプリケーションプログラム１５２の実行中に印刷開始操作が行われると、プリンタドライバ１５３が起動する。そして、パーソナルコンピュータ１は、プリンタドライバ１５３の処理として、アプリケーションから渡された印刷対象の画像を表す画像データを、プリンタ２で表現可能なＣＭＹＫの二値画像データに変換した後、プリンタ２へ送信する。ここで、アプリケーションから渡される画像データは描画命令で構成されており、描画命令は、写真のオブジェクトを描画するビットマップ描画命令（写真描画命令）と、文字のオブジェクトを描画する文字描画命令と、図形のオブジェクトを描画する図形描画命令とに分類される。
【００３５】
このため、パーソナルコンピュータ１においては、まず、描画命令で構成された画像データが２５６階調のＲＧＢ値で表された画像データに展開される。続いて、図２（ａ）に示すように、入力色値（ＲＧＢ値）と出力色値（ＣＭＹＫ値）との対応関係を規定したカラープロファイルに従い、ＲＧＢ値で表された画像データをＣＭＹＫ値で表された画像データに変換する色変換処理が行われる。なお、本実施形態でいうカラープロファイルとは、表示部１４のデバイスプロファイル（ＩＣＣプロファイル）とプリンタ２のデバイスプロファイル（ＩＣＣプロファイル）とをリンクしたデバイスリンクプロファイルである。
【００３６】
図３（ａ）は、カラープロファイルの入力色値の一例であり、ここではホワイト（ＲＧＢ＝２５５，２５５，２５５）→ブルー（ＲＧＢ＝０，０，２５５）→ブラック（ＲＧＢ＝０，０，０）の範囲の入力色値を示している。また、図３（ｂ）は、カラープロファイルの出力色値の一例であり、ここでは図３（ａ）の入力色値に対応する出力色値を示している。例えば、ブルーの入力色値（ＲＧＢ＝０，０，２５５）に対応するブルーの出力色値（ＣＭＹＫ値）はＣＭＹＫ＝２３７，８３，０，０である。図４のグラフにも示すように、Ｙ成分やＫ成分が入る直前が１００％濃度のブルーであり、以下の説明では、１００％濃度（原色）よりも濃い部分を暗部といい、０〜５０％濃度を淡部という。
【００３７】
また、カラープロファイルとしては、オブジェクトの種類（写真、文字及び図形）に応じた３種類のものがあらかじめ用意されており、写真のオブジェクトには写真用カラープロファイル、文字のオブジェクトには文字用カラープロファイル、図形のオブジェクトには図形用カラープロファイルが用いられる。
【００３８】
そして、図２（ａ）に示すように、色変換処理後の画像データは、補正テーブルに従い補正処理が行われる。ここで、補正テーブルとは、入力値としてのＣＭＹＫ値と、補正値（出力値）としてのＣＭＹＫ値（入力値と区別するため図２（ａ）ではＣ’Ｍ’Ｙ’Ｋ’値と記載している。）との対応関係を規定したルックアップテーブルである。したがって、補正処理後の画像データも２５６階調のＣＭＹＫ値で表現されたものとなる。
【００３９】
さらに、補正処理後の画像データは、ディザ法による二値化処理が行われ、これによりＣＭＹＫ各色の二値画像データが生成される。こうして生成されたＣＭＹＫ各色の二値画像データがプリンタ２へ送信されることにより、プリンタ２で二値画像データの表す画像が印刷される。
【００４０】
補正処理で用いられる補正テーブルは、キャリブレーション処理が実行されることによって作成され、キャリブレーション処理が実行される前はデフォルトの補正テーブル（以下「デフォルト補正テーブル」という。）が用いられる。つまり、補正処理で用いられる補正テーブルは、キャリブレーション処理が実行されるごとに更新される。
【００４１】
そして、本実施形態では、キャリブレーション処理で新たに作成された補正テーブル（以下「更新補正テーブル」という。）とデフォルト補正テーブルとを比較し、更新補正テーブルがデフォルト補正テーブルよりもトナーの使用量を増加させるものであるかを、トナーの色ごとに判定する。そして、１色以上のトナーについて、更新補正テーブルがデフォルト補正テーブルよりもトナーの使用量を増加させるものであると判定したことを条件として、トナーの使用量が増加する色について出力色値を低下させるようにカラープロファイルを修正する。
【００４２】
［１−３．具体的処理手順］
次に、パーソナルコンピュータ１の制御部１１（具体的にはＣＰＵ１１１）が、ユーザからの要求に従いプリンタドライバ１５３の機能として実行するキャリブレーション処理について、図５（ａ）のフローチャートを用いて説明する。
【００４３】
制御部１１は、キャリブレーション処理を開始すると、まずＳ１０１で、濃度パッチの濃度測定をプリンタ２に指示する。これにより、プリンタ２では、印刷用のトナーを用いてＣＭＹＫ各色の複数段階の濃度を表す濃度パッチが搬送ベルト上に直接形成され、その濃度が濃度センサ２７で測定される。
【００４４】
続いて、Ｓ１０２では、濃度パッチの測定濃度をプリンタ２から受信する。
続いて、Ｓ１０３では、測定濃度に基づいて新たな補正テーブル（更新補正テーブル）を作成した後、キャリブレーション処理を終了する。これにより、以降の補正処理では、作成した更新補正テーブルに従い補正処理が行われる。
【００４５】
次に、パーソナルコンピュータ１の制御部１１（具体的にはＣＰＵ１１１）が、前述したキャリブレーション処理（図５（ａ））の終了後にプリンタドライバ１５３の機能として実行するカラープロファイル変更処理について、図５（ｂ）のフローチャートを用いて説明する。
【００４６】
制御部１１は、カラープロファイル変更処理を開始すると、まずＳ２０１で更新補正テーブルとデフォルト補正テーブルとを比較し、Ｓ２０２で更新補正テーブルがデフォルト補正テーブルよりもトナーの使用量を増加させる（濃くする）ものであるかを、トナーの色ごとに判定する。具体的には、更新補正テーブルの全入力値についての補正値（出力値）の合計値と、デフォルト補正テーブルの全入力値についての補正値（出力値）の合計値とを、トナーの色ごとに比較し、更新補正テーブルの補正値の合計値がデフォルト補正テーブルの補正値の合計値を上回る色が１色以上存在する場合には、更新補正テーブルがデフォルト補正テーブルよりもトナーの使用量を増加させるものであると判定する。
【００４７】
そして、Ｓ２０２で更新補正テーブルがデフォルト補正テーブルよりもトナーの使用量を増加させるものであると判定した場合には、Ｓ２０３へ移行し、更新補正テーブルの補正値の合計値がデフォルト補正テーブルの補正値の合計値を上回る色について、トナー使用量の増加分（差分）を計算する。
【００４８】
この差分は、例えば、カラープロファイルの出力値に対して更新補正テーブルに従い補正処理を行った値から、その出力値に対してデフォルト補正テーブルに従い補正処理を行った値を減じた差分の合計値として算出することができる。具体的には、図３（ｃ）は、前述した図３（ｂ）の出力色値に対してデフォルト補正テーブルに従い補正処理を行った値であり、図３（ｄ）は、図３（ｂ）の出力色値に対して更新補正テーブルに従い補正処理を行った値である。そして、図３（ｅ）は、図３（ｄ）の値から図３（ｃ）の値を減じた差分を示しており、この例では、ＣＭＹＫ各色の差分の合計値はそれぞれ６４，６４，２８，２２と算出される。
【００４９】
続いて、Ｓ２０４では、写真用カラープロファイルの出力色値の各色の合計値が、Ｓ２０３で計算した差分合計値の分だけ低下するように、暗部の出力色値を修正したカラープロファイルを作成する。
【００５０】
具体的には、図３（ｆ）は、図３（ｂ）のＣＭＹＫ各色の出力色値の合計値が図３（ｅ）に示すＣＭＹＫ各色の差分合計値の分だけ減少するように、暗部の出力色値を全体的に低く修正した出力色値である。また、図３（ｇ）は、図３（ｆ）の出力色値に対して更新補正テーブルに従い補正処理を行った値である。そして、図３（ｈ）は、図３（ｇ）の値から図３（ｃ）の値を減じた差分を示しており、ＣＭＹＫ各色の差分合計値がすべて０となっている。つまり、カラープロファイルの出力色値を低下させることで、更新補正テーブルによるＣＭＹＫ値の増加分を相殺する。
【００５１】
続いて、Ｓ２０５では、文字用カラープロファイルの出力色値の各色の合計値が、Ｓ２０３で計算した差分合計値の分だけ低下するように、淡部以外（５０〜１００％濃度及び暗部）の出力色値を修正したカラープロファイルを作成する。写真用カラープロファイルの処理（Ｓ２０４）とは、暗部に加え中間調部の出力色値についても低く修正する点で相違するが、基本的な処理内容は同様である。なお、文字の淡部の出力色値を修正しないのは、文字の淡部の出力色値を低くすると薄い文字が薄くなりすぎて視認しづらくなる可能性があるからである。
【００５２】
続いて、Ｓ２０６では、図形用カラープロファイルの出力色値の各色の合計値が、Ｓ２０３で計算した差分合計値の分だけ低下するように、出力色値を全体的に修正したカラープロファイルを作成する。写真用カラープロファイルの処理（Ｓ２０４）とは、出力色値を全体的に修正する点で相違するが、基本的な処理内容は同様である。その後、カラープロファイル変更処理を終了する。
【００５３】
一方、Ｓ２０２で、更新補正テーブルがデフォルト補正テーブルよりもトナーの使用量を増加させるものでないと判定した場合には、カラープロファイルを修正せずにカラープロファイル変更処理を終了する。
【００５４】
次に、パーソナルコンピュータ１の制御部１１（具体的にはＣＰＵ１１１）が、印刷開始操作が行われることによりプリンタドライバ１５３の機能として実行する使用プロファイル設定処理について、図６のフローチャートを用いて説明する。
【００５５】
制御部１１は、使用プロファイル設定処理を開始すると、まずＳ３０１で、使用プロファイル設定領域を初期化する。ここで、使用プロファイル設定領域とは、印刷対象の画像を構成する各画素について、色変換処理に用いるカラープロファイル（以下「使用プロファイル」という。）の種類に対応した設定フラグを記憶しておくための領域のことであり、ＲＡＭ１１３に用意される。具体的には、Ｓ３０１では、使用プロファイル設定領域におけるすべての画素についての設定フラグを、初期値である「０」に設定する。そして、後述する処理（Ｓ３０５，Ｓ３０８）において、使用プロファイルが写真用カラープロファイルの画素についての設定フラグを「１」に、文字用カラープロファイルの画素についての設定フラグを「２」に設定する。なお、使用プロファイルが図形用カラープロファイルの画素についての設定フラグは「０」のままとなる。
【００５６】
図７（ａ）は印刷対象の画像の一例であり、写真のオブジェクトＡ１、文字のオブジェクトＡ２及び図形のオブジェクトＡ３が含まれている。一方、図７（ｂ）は図７（ａ）の画像についての設定フラグが記憶された使用プロファイル設定領域の概念図である。図７（ｂ）において、白で表された領域Ｂ０の各画素には初期値である「０」が、領域Ｂ１の各画素には写真用カラープロファイルを示す設定フラグ「１」が、黒（黒文字）で表された領域Ｂ２の各画素には文字用カラープロファイルを示す設定フラグ「２」がそれぞれ設定される。
【００５７】
図６に戻り、Ｓ３０２では、印刷対象の画像を表す画像データを構成するすべての描画命令の中から、後述する描画処理（Ｓ３０４，Ｓ３０７，Ｓ３０９）をまだ実行していない１つの描画命令を処理対象として取得する。なお、印刷対象の画像において重なった位置関係にあるオブジェクトについては、重なり位置が最前面のものを最も遅い順序で取得する。これにより、オブジェクトが重なる部分については、重なり位置が最前面となるオブジェクトの描画命令に従って使用プロファイルの種類が設定されることになる。
【００５８】
続いて、Ｓ３０３では、Ｓ３０２で取得した処理対象の描画命令がビットマップ描画命令（写真描画命令）であるか否かを判定する。
そして、Ｓ３０３で処理対象の描画命令がビットマップ描画命令であると判定した場合には、Ｓ３０４へ移行し、処理対象の描画命令に基づく描画処理を実行する。これにより、処理対象の描画命令が、写真のオブジェクトを表す２５６階調のＲＧＢデータに展開される。
【００５９】
続いて、Ｓ３０５では、使用プロファイル設定領域におけるすべての画素についての設定フラグのうち、Ｓ３０４の処理で生成されたＲＧＢデータの描画領域に対応する画素についての設定フラグを、写真用カラープロファイルを示す「１」に設定する。つまり、Ｓ３０４の処理で展開された写真のオブジェクトを構成するすべての画素の使用プロファイルを写真用カラープロファイルに設定する。その後、Ｓ３１０へ移行する。
【００６０】
一方、Ｓ３０３で処理対象の描画命令がビットマップ描画命令でないと判定した場合には、Ｓ３０６へ移行し、処理対象の描画命令が文字描画命令であるか否かを判定する。
そして、Ｓ３０６で処理対象の描画命令が文字描画命令であると判定した場合には、Ｓ３０７へ移行し、処理対象の描画命令に基づく描画処理を実行する。これにより、処理対象の描画命令が、文字のオブジェクトを表す２５６階調のＲＧＢデータに展開される。
【００６１】
続いて、Ｓ３０８では、使用プロファイル設定領域におけるすべての画素についての設定フラグのうち、Ｓ３０７の処理で生成されたＲＧＢデータの描画領域に対応する画素についての設定フラグを、文字用カラープロファイルを示す「２」に設定する。つまり、Ｓ３０７の処理で展開された文字のオブジェクトを構成するすべての画素の使用プロファイルを文字用カラープロファイルに設定する。その後、Ｓ３１０へ移行する。
【００６２】
一方、Ｓ３０６で処理対象の描画命令が文字描画命令でない（つまり図形描画命令である）と判定した場合には、Ｓ３０９へ移行し、処理対象の描画命令に基づく描画処理を実行する。これにより、処理対象の描画命令が、図形のオブジェクトを表す２５６階調のＲＧＢデータに展開される。その後、Ｓ３１０へ移行する。
【００６３】
Ｓ３１０では、印刷対象の画像を表す画像データを構成するすべての描画命令について描画処理を実行したか否かを判定し、描画処理をまだ実行していない描画命令が存在すると判定した場合にはＳ３０２へ戻り、すべての描画命令について描画処理を実行したと判定した場合には使用プロファイル設定処理を終了する。
【００６４】
次に、パーソナルコンピュータ１の制御部１１（具体的にはＣＰＵ１１１）が、前述した使用プロファイル設定処理（図６）の終了後にプリンタドライバ１５３の機能として実行する二値画像データ生成処理について、図８のフローチャートを用いて説明する。
【００６５】
制御部１１は、二値画像データ生成処理を開始すると、まずＳ４０１で、印刷対象の画像を構成するすべての画素の中から、後述する二値化処理（Ｓ４０９）をまだ実行していない１つの画素の画素データ（２５６階調のＲＧＢ値）を処理対象として取得する。
【００６６】
続いて、Ｓ４０２では、Ｓ４０１で取得した処理対象の画素データについて設定されている使用プロファイルを使用プロファイル設定領域から取得する。
続いて、Ｓ４０３では、Ｓ４０２で取得した使用プロファイルが写真用カラープロファイルであるか否かを判定する。
【００６７】
そして、Ｓ４０３で使用プロファイルが写真用カラープロファイルであると判定した場合には、Ｓ４０４へ移行し、写真用カラープロファイルを用いて色変換処理を実行する。その後、Ｓ４０８へ移行する。
【００６８】
一方、Ｓ４０３で使用プロファイルが写真用カラープロファイルでないと判定した場合には、Ｓ４０５へ移行し、Ｓ４０２で取得した使用プロファイルが文字用カラープロファイルであるか否かを判定する。
【００６９】
そして、Ｓ４０５で使用プロファイルが文字用カラープロファイルであると判定した場合には、Ｓ４０６へ移行し、文字用カラープロファイルを用いて色変換処理を実行する。その後、Ｓ４０８へ移行する。
【００７０】
一方、Ｓ４０５で使用プロファイルが文字用カラープロファイルでない（つまり図形用カラープロファイルである）と判定した場合には、Ｓ４０７へ移行し、図形用カラープロファイルを用いて色変換処理を実行する。その後、Ｓ４０８へ移行する。
【００７１】
Ｓ４０８では、色変換処理後のＣＭＹＫ値を補正テーブルに従い補正する補正処理を実行する。
続いて、Ｓ４０９では、補正処理後の２５６階調のＣＭＹＫ値を二値化する二値化処理を実行する。
【００７２】
続いて、Ｓ４１０では、印刷対象の画像を構成するすべての画素について二値化処理を実行したか否かを判定し、二値化処理をまだ実行していない画素が存在すると判定した場合にはＳ４０１へ戻り、すべての画素について二値化処理を実行したと判定した場合には二値画像データ生成処理を終了する。
【００７３】
［１−４．効果］
以上説明したように、第１実施形態によれば、更新補正テーブルがデフォルト補正テーブルよりもトナーの使用量を増加させるものである場合には、出力色値を低下させるようにカラープロファイルを修正するため、色変換処理でトナーの使用量を減少させることができる。その結果、トナーの使用量の増加分を相殺することができるため、実際に印刷可能な枚数がデフォルト補正テーブルに基づいて見積もられた印刷可能枚数に到達する前にトナー切れになる問題を生じにくくすることができる。
【００７４】
特に、写真用カラープロファイルについては暗部の出力色値を低下させるように修正するため、写真のオブジェクトの印刷画質の品質が損なわれにくくしつつ、トナーの使用量を減少させることができる。写真のオブジェクトでは、カラーバランスや階調性が重要であるため、淡部や中間調部でトナー使用量を変動させるとＣＭＹＫのカラーバランスが崩れてしまうが、暗部は黒に近い色であるため、カラーバランスが多少崩れても色味に大きな変化はないからである。
【００７５】
また、文字用カラープロファイルについては淡部以外の出力色値を低下させるように修正するため、薄い文字が薄くなりすぎて視認しづらくなることを防ぎつつ、トナーの使用量を減少させることができる。
【００７６】
また、図形用カラープロファイルについては出力色値を全体的に低下させるように修正するため、印刷画像の品質が損なわれにくくすることができる。
加えて、更新補正テーブルがデフォルト補正テーブルよりもトナーの使用量を増加させるものであるかを、印刷対象の画像に関係なく一律に判定するため、判定に要する処理負荷を低減することができる。
【００７７】
なお、第１実施形態では、Ｓ１０３の処理が更新手段としての処理に相当し、Ｓ２０１，Ｓ２０２の処理が使用量判定手段としての処理に相当し、Ｓ２０４〜Ｓ２０６の処理が修正手段としての処理に相当する。また、Ｓ３０３，Ｓ３０６の処理が種類判定手段としての処理に相当し、Ｓ４０４，Ｓ４０６，Ｓ４０７の処理が色変換手段としての処理に相当し、Ｓ４０８の処理が補正手段としての処理に相当する。
【００７８】
［２．第２実施形態］
［２−１．第１実施形態との相違点］
次に、第２実施形態について説明する。第２実施形態は、基本的な構成は第１実施形態と同様であるが、次の（１）〜（３）の点で相違する。
（１）印刷対象の画像を表す画像データをデフォルト補正テーブルに従い補正した場合の全画素のＣＭＹＫ値の合計値と、その画像データを更新補正テーブルに従い補正した場合の全画素のＣＭＹＫ値の合計値とを、トナーの色ごとに比較することで、更新補正テーブルがデフォルト補正テーブルよりもトナーの使用量を増加させるものであるかを判定する。つまり、更新補正テーブルがデフォルト補正テーブルよりもトナーの使用量を増加させるものであるかを、印刷対象の画像に基づき判定する。
（２）印刷対象の画像を表す画像データをデフォルト補正テーブルに従い補正した場合の全画素のＣＭＹＫ値の合計値から、その画像データを更新補正テーブルに従い補正した場合の全画素のＣＭＹＫ値の合計値を減じた差分を、トナーの色ごとに合計余剰量として積算する。
（３）１色以上のトナーについて、更新補正テーブルがデフォルト補正テーブルよりもトナーの使用量を増加させるものであると判定し、かつ、その増加分である過剰使用量が合計余剰量を上回ることを条件として、トナーの使用量が増加する色について出力色値（ＣＭＹＫ値）を低下させるようにカラープロファイルを修正する。
【００７９】
つまり、第２実施形態では、図２（ｃ）に示すように、補正処理後の画像データに基づきトナーの合計余剰量を算出し、更新補正テーブルがデフォルト補正テーブルよりもトナーの使用量を増加させるものであっても、その過剰使用量が合計余剰量以下であればカラープロファイルを修正しないようにする。具体的には、第２実施形態では、前述した図５（ｂ）のカラープロファイル変更処理、図６の使用プロファイル設定処理及び図８の二値画像データ生成処理を行わず、これに代えて、図９の二値画像データ生成処理及び図１０のトナー過剰使用量演算処理を行う点で第１実施形態と相違する。その他、第１実施形態と共通する点については説明を省略する。
【００８０】
［２−２．具体的処理手順］
次に、パーソナルコンピュータ１の制御部１１（具体的にはＣＰＵ１１１）が、印刷開始操作が行われることによりプリンタドライバ１５３の機能として実行する二値画像データ生成処理について、図９のフローチャートを用いて説明する。なお、二値画像データ生成処理は、描画命令で構成された画像データに対する描画処理の実行後に行われる。
【００８１】
制御部１１は、二値画像データ生成処理を開始すると、まずＳ５０１で、通常のカラープロファイルを用いて色変換処理を実行する。
続いて、Ｓ５０２では、トナー過剰使用量演算処理を実行する。図１０は、トナー過剰使用量演算処理のフローチャートであり、まずＳ６０１で、デフォルト補正テーブルに従い補正処理を行ったＣＭＹＫ画像データを作成する。
【００８２】
続いて、Ｓ６０２では、現在の補正テーブルに従い補正処理を行ったＣＭＹＫ画像データを作成する。なお、現在の補正テーブルとは、キャリブレーション処理を一度も実行していない状態であればデフォルト補正テーブルであり、キャリブレーション処理を一度でも実行した後は更新補正テーブルである。
【００８３】
続いて、Ｓ６０３では、処理対象トナーＸをシアン（Ｃ）に設定する。なお、Ｘとは、Ｃ，Ｍ，Ｙ，Ｋのいずれかを表す変数であり、以降の説明ではＸを設定されている色に読み替える。
【００８４】
続いて、Ｓ６０４では、処理対象画素を画像における先頭の画素（例えば左上の画素）に設定する。
続いて、Ｓ６０５では、処理対象画素について、Ｓ６０１で作成した画像データのＸトナーの値（以下「デフォルト補正値」という。）と、Ｓ６０２で作成した画像データのＸトナーの値（以下「現在補正値」という。）とを比較し、その差分（＝現在補正値−デフォルト補正値）を計算する。
【００８５】
続いて、Ｓ６０６では、Ｓ６０５で算出した差分を、既に記憶されているＸトナー過剰使用量に加算することで、Ｘトナー過剰使用量を更新する。つまり、処理対象画素ごとに算出した差分を積算することで、画像を構成する全画素の差分の合計値を過剰使用量として求めるようにしている。
【００８６】
続いて、Ｓ６０７では、処理対象画素が画像における最後の画素（例えば右下の画素）であるか否かを判定する。
そして、Ｓ６０７で処理対象画素が画像における最後の画素でないと判定した場合には、Ｓ６０８へ移行し、処理対象画素を画像における１つ後ろの画素に変更する。その後、Ｓ６０５へ戻る。
【００８７】
一方、Ｓ６０７で処理対象画素が画像における最後の画素であると判定した場合には、Ｓ６０９へ移行し、処理対象トナーＸがブラック（Ｋ）であるか否かを判定する。
そして、Ｓ６０９で処理対象トナーＸがブラック（Ｋ）でないと判定した場合には、Ｓ６１０へ移行し、処理対象トナーＸを変更する。具体的には、処理対象トナーＸがシアン（Ｃ）の場合にはマゼンタ（Ｍ）に、マゼンタ（Ｍ）の場合にはイエロー（Ｙ）に、イエロー（Ｙ）の場合にはブラック（Ｋ）に変更する。その後、Ｓ６０４へ戻る。
【００８８】
一方、Ｓ６０９で処理対象トナーＸがブラック（Ｋ）であると判定した場合（つまりＣＭＹＫ全色について処理を行ったと判定した場合）には、トナー過剰使用量演算処理を終了する。このトナー過剰使用量演算処理により、ＣＭＹＫ各色のトナーについての過剰使用量（トナー使用量の増加分）が算出される。
【００８９】
図９に戻り、Ｓ５０３では、処理対象トナーＸをＣに設定する。
続いて、Ｓ５０４では、Ｘトナー補正量を０にリセットする。
続いて、Ｓ５０５では、Ｓ５０２で算出したＸトナー過剰使用量が０よりも大きいか否かを判定する。つまり、現在の補正テーブルがデフォルト補正テーブルよりもトナーの使用量を増加させるものであるか否かを判定する。
【００９０】
そして、Ｓ５０５でＸトナー過剰使用量が０よりも大きいと判定した場合には、Ｓ５０６へ移行し、Ｘトナー過剰使用量がＸトナー合計余剰量よりも大きいか否かを判定する。
このＳ５０６でＸトナー過剰使用量がＸトナー合計余剰量よりも大きいと判定した場合には、Ｓ５０７へ移行し、Ｘトナー過剰使用量からＸトナー合計余剰量を減ずることによりＸトナー補正量を求める。つまり、過剰使用量のうち、合計余剰量で賄えない分を補正量とする。その後、Ｓ５０８へ移行する。
【００９１】
一方、Ｓ５０５でＸトナー過剰使用量が０以下であると判定した場合や、Ｓ５０６でＸトナー過剰使用量がＸトナー合計余剰量以下であると判定した場合には、そのままＳ５０８へ移行する。この場合、Ｘトナー補正量は０のままとなる。
【００９２】
Ｓ５０８では、処理対象トナーＸがブラック（Ｋ）であるか否かを判定する。
そして、Ｓ５０８で処理対象トナーＸがブラック（Ｋ）でないと判定した場合には、Ｓ５０９へ移行し、処理対象トナーＸを変更する。具体的には、処理対象トナーＸがシアン（Ｃ）の場合にはマゼンタ（Ｍ）に、マゼンタ（Ｍ）の場合にはイエロー（Ｙ）に、イエロー（Ｙ）の場合にはブラック（Ｋ）に変更する。その後、Ｓ５０４へ戻る。
【００９３】
一方、Ｓ５０８で処理対象トナーＸがブラック（Ｋ）であると判定した場合（つまりＣＭＹＫ全色について処理を行ったと判定した場合）には、Ｓ５１０へ移行し、トナー補正量がＣＭＹＫ４色すべて０以下であるか否かを判定する。
【００９４】
そして、Ｓ５１０でトナー補正量が０以下でない色が１色以上あると判定した場合には、Ｓ５１１へ移行し、各色トナー使用量を各色のトナー補正量だけ下げたカラープロファイルを作成する。カラープロファイルの補正は第１実施形態と同様の手法で行うことができ、例えば、出力色値の各色の合計値がトナー補正量の分だけ低下するように、出力色値を全体的に修正すればよい。なお、第１実施形態と同様、オブジェクトの種類に応じた処理としてもよい。
【００９５】
続いて、Ｓ５１２では、Ｓ５１１で作成した新しいカラープロファイルを用いて色変換処理を実行する。その後、Ｓ５０２へ戻る。つまり、修正後のカラープロファイルでＳ５０２以降の処理を再度行う。
【００９６】
一方、Ｓ５１０でトナー補正量がＣＭＹＫ４色すべて０以下であると判定した場合には、Ｓ５１３へ移行し、ＣＭＹＫ各色のトナーについて、現在の合計余剰量から過剰使用量を減ずることで合計余剰量を更新する。なお、過剰使用量が０よりも小さい場合には、合計余剰量が増加することになる。
【００９７】
続いて、Ｓ５１４では、Ｓ６０２で現在の補正テーブルに従い補正処理を行った画像データを二値化する二値化処理を実行する。その後、二値画像データ生成処理を終了する。
［２−３．効果］
以上説明したように、第２実施形態によれば、更新補正テーブルがデフォルト補正テーブルよりもトナーの使用量を増加させるものであるかを、印刷対象の画像を表す画像データを用いて印刷ごとに判定するため、比較的正確に判定することができる。
【００９８】
しかも、第２実施形態では、更新補正テーブルがデフォルト補正テーブルよりもトナーの使用量を増加させるものであると判定した場合であっても、その過剰使用量が合計余剰量を上回らなければカラープロファイルを修正しない。このため、過去の印刷でトナーが余っているにもかかわらずトナーの使用量が不要に制限されてしまうことを防ぐことができる。
【００９９】
なお、第２実施形態では、Ｓ５０１，Ｓ５１２の処理が色変換手段としての処理に相当し、Ｓ５０３〜Ｓ５０９，Ｓ６０３〜Ｓ６１０の処理が使用量判定手段としての処理に相当し、Ｓ５１１の処理が修正手段としての処理に相当し、Ｓ５１３の処理が積算手段としての処理に相当し、Ｓ６０２の処理が補正手段としての処理に相当する。
【０１００】
［３．他の実施形態］
以上、本発明の実施形態について説明したが、本発明は、上記実施形態に限定されることなく、種々の形態を採り得ることは言うまでもない。
（Ａ）上記第１実施形態では、写真のオブジェクトには写真用カラープロファイル、文字のオブジェクトには文字用カラープロファイル、図形のオブジェクトには図形用カラープロファイルを用いるようにしているが、これに限定されるものではない。例えば、文字のオブジェクト及び図形のオブジェクトで共通のカラープロファイルを用い、図形用カラープロファイルのように出力色値を全体的に修正するようにしてもよい。
（Ｂ）上記各実施形態では、印刷媒体を搬送するための搬送ベルトに濃度パッチを形成するようにしているが、これに限定されるものではない。例えば、感光体上のトナー像をいったん中間転写ベルトに転写してから印刷媒体に転写する構成であれば、中間転写ベルトに濃度パッチを形成してもよい。また、印刷媒体に濃度パッチを形成してもよい。
（Ｃ）上記実施形態では、色材としてトナーを用いているが、これに限定されるものではなく、例えばインクであってもよい。
（Ｄ）上記実施形態では、本発明に係る処理をパーソナルコンピュータ１側で行うようにしているが、これに限定されるものではなく、プリンタ２側で行うようにしてもよい。
【符号の説明】
【０１０１】
１…パーソナルコンピュータ、２…プリンタ、１１，２１…制御部、１２，２２…通信部、１３，２３…操作部、１４，２４…表示部、１５，２５…記憶部、２６…画像形成部、２７…濃度センサ、１５３…プリンタドライバ
【図１】
0005510261.tif 000002
【図２】
0005510261.tif 000003
【図５】
0005510261.tif 000004
【図６】
0005510261.tif 000005
【図８】
0005510261.tif 000006
【図９】
0005510261.tif 000007
【図１０】
0005510261.tif 000008
【図３】
0005510261.tif 000009
【図４】
0005510261.tif 000010
【図７】
0005510261.tif 000011